(57)【要約】【課題】スマートフォン等の音響機器に簡単に取り付けでき、かつ安価なウインドジャマーを提供する。【解決手段】ウインドジャマー１は、所定幅に裁断されたフェイクファーテープ１０の起毛されていない裏面側に粘着面１１が形成されている。【選択図】図１
0003216118.tif 000002
【実用新案登録請求の範囲】
【請求項１】
所定幅に裁断されたフェイクファーテープの起毛されていない裏面側に粘着面が形成されていることを特徴とするウインドジャマー。
【請求項２】
前記粘着面は、前記フェイクファーテープの基布に一体化されたベースフィルムと、このベースフィルム上に形成された樹脂層とからなることを特徴とする請求項１に記載のウインドジャマー。
【請求項３】
前記粘着面は、剥離容易な保護材によって保護されていることを特徴とする請求項１又は２に記載のウインドジャマー。
【請求項４】
前記粘着面は、音響機器用保護カバーのマイク孔が設けられた部分に対応した形状を有する保護カバー用アタッチメント基台に粘着されていることを特徴とする請求項１又は２に記載のウインドジャマー。
【考案の詳細な説明】
【技術分野】
【０００１】
本考案は、スマートフォン、デジタルカメラ、ビデオカメラ、デジタルレコーダー等、マイク孔を有する音響機器に用いられるウインドジャマーに関する。
【背景技術】
【０００２】
次の特許文献１には、いわゆる流体騒音に対して、糸、紐、チューブのような柔毛素材は、渦を整流し圧力変動を抑制することによって騒音低減効果を奏することが記載されている。
またフェイクファーを袋状に加工したガンマイク用のウインドジャマー等も広く市販されており、これも柔毛素材の流体騒音低減効果を利用していると考えられる。
【先行技術文献】
【特許文献】
【０００３】
【特許文献１】特開2006-300375号公報
【考案の概要】
【考案が解決しようとする課題】
【０００４】
ところで現時点では、フェイクファーによって構成され、スマートフォン、ビデオカメラ、デジタルレコーダー等の音響機器に簡単に取り付けでき、かつ安価なウインドジャマーは提供されていない。これに対して本考案はそのようなウインドジャマーを提供することを目的としたものである。
【課題を解決するための手段】
【０００５】
本発明によるウインドジャマーは、所定幅に裁断されたフェイクファーテープの起毛されていない裏面側に粘着面が形成されていることを特徴とするものである。
【考案の効果】
【０００６】
本考案によるウインドジャマーは、音響機器に容易に取り付けでき、かつ安価である。
【図面の簡単な説明】
【０００７】
【図１】本考案の実施形態の斜視図である。
【図２】（ａ）は、ウインドジャマーの一例の概略断面図、（ｂ）はウインドジャマーの他例の概略断面図である。
【図３】（ａ）〜（ｃ）はいずれもウインドジャマーの提供形態を示す斜視図である。
【図４】（ａ）、（ｂ）はそれぞれウインドジャマーを音響機器に貼り付ける作業前、後を示す斜視図である。
【図５】他の実施形態の斜視図である。
【０００８】
図１は、本考案の実施形態の斜視図である。
ウインドジャマー１は、スマートフォン、デジタルカメラ、ビデオカメラ、デジタルレコーダー等、マイク孔を有する音響機器において録音時の風切音を抑制することを目的としたものである。ウインドジャマー１は、所定幅に裁断されたフェイクファーテープ１０の起毛されていない裏面側に粘着面１１が形成されていることを特徴としている。
なおウインドジャマー１は、図１に示すように、粘着面１１が剥離容易な保護材２によって保護された状態で提供されてもよい。あるいは後述のように、電子機器保護カバー用のアタッチメント基台に粘着済みの状態で提供されてもよい。
【０００９】
フェイクファーテープ１０の幅は特に制限されず、風切音を抑制すべき音響機器、例えばスマートフォンやビデオカメラ等のサイズに適したものにすればよい。例えばスマートフォンの場合、マイク孔は下側面等に形成されていることが多いので、その側面に適した幅、すなわち３〜６ミリメートルとしてもよい。またビデオカメラの場合、ウインドジャマー１はスマートフォンのときよりも短くなると予想されるので、充分な粘着力を確保するため、その幅は６〜１０ミリとしてもよい。
このような構成のウインドジャマー１は、粘着面を有するテープ形状で提供されるので音響機器に容易に取り付けでき、かつ安価である。
【００１０】
図２（ａ）は、ウインドジャマーの一例の概略断面図、（ｂ）はウインドジャマーの他例の概略断面図である。
フェイクファーテープ１０の元となっているフェイクファーは、アクリル等の合成繊維からなる織物又は編物の一種であって、基布１０ａの組織はパイル織やパイル編になっており、その基布１０ａの表面側から引出したループパイルを切り開き起毛１０ｂとして毛皮のようにしたものである。
粘着面１１は、図２（ａ）に示すように、基布１０ａの裏面側と粘着性を有する樹脂層（接着剤）１０ｃとが直接的に一体化されていてもよい。この場合、粘着面１１は、基布１０ａの裏面側に粘着剤を塗布する等で形成できる。
あるいは図２（ｂ）に示すように、基布１０ａの裏面側と粘着性を有する樹脂層１０ｃとがベースフィルム１０ｄを介して一体かされていてもよい。この場合、粘着面１１は、予め樹脂層１０ｃが形成されたベースフィルム１０ｄを基布１０ａの裏面側に一体化させるようにしてもよい。あるいは樹脂層１０ｃが形成されていないベースフィルム１０ｄを基布１０ａの裏面側に一体化させたあとそのベースフィルム１０ｄに樹脂層１０ｃを形成するようにしてもよい。
なお図２（ａ）、（ｂ）のいずれの場合でも、粘着面１１は多数の微少な通音孔１０ｅが配列された状態となるにようにして、ウインドジャマー１が音響機器のマイク孔を完全に塞ぐことを防止するとよい。あるいは、マイク孔に対応する部分には粘着面１１を形成しないようにしてもよい。
【００１１】
図３（ａ）〜（ｃ）はいずれもウインドジャマーの提供形態を示す斜視図であり、いずれの場合もウインドジャマーの粘着面が各種の保護材によって保護された状態で提供される。
すなわち図３（ａ）では、保護材２として剥離紙が用いられている。ウインドジャマー１は長尺のまま、その粘着面１１が剥離紙によって保護された状態で提供されている。使用者は、その長尺のウインドジャマー１を剥離紙ごと所望の長さに切断し、その後剥離紙から剥ぎ取って音響機器に貼り付ければよい。
図３（ｂ）では、保護材２として台紙が用いられている。ウインドジャマー１はそれを用いる音響機器毎に適した長さに裁断された状態で一枚の台紙に配列された状態で提供されている。使用者は、その台紙からウインドジャマー１を一枚ずつ剥ぎ取って音響機器に貼り付ければよい。
図３（ｃ）では、保護材２として円筒状の媒体（樹脂パイプ等）が用いられている。ウインドジャマー１は長尺のまま、円筒状の媒体に螺旋状に巻設した状態で提供されている。使用者は、その長尺のウインドジャマー１を所望の長さ分ずつ剥ぎ取って切断し、それを音響機器に貼り付ければよい。
なお保護材２の素材、形状はこれらに限定されず、どのような素材、形状であってもよい。
【００１２】
図４（ａ）、（ｂ）はそれぞれウインドジャマーを音響機器に貼り付ける作業前、後を示す斜視図である。
音響機器３は携帯電話機であって、その正面にタッチパネル３ａが配され、右側面にパワーボタン３ｂが配され、下側面にマイク孔３ｃとＵＳＢ充電端子３ｄが配されている。
ウインドジャマー１は、その必要時、例えば動画撮影の準備として、粘着面１１を露出した状態にしてマイク孔３ｃが配されている下側面に貼り付ければよい（貼付方向を矢印で示す）。
ウインドジャマー１を貼り付けると、音響機器３のマイク孔３ｃは、ウインドジャマー１によって完全に隠蔽された状態となり、そのためマイク孔３ｃの近傍で生じる風の渦や乱流がフェイクファーテープ１０の起毛１０ｂによって整流され圧力変動も抑えられる。よって音響機器の録音音声が明瞭かつ聞き取り易いものになる。
なお撮影後にウインドジャマー１が不要になれば音響機器３から剥がして廃棄してもよい。
【００１３】
図５は、他の実施形態の斜視図である。
このウインドジャマー１は、裏面側に粘着面１１が形成されたフェイクファーテープ１０であって、音響機器用保護カバー４のマイク孔４ａが設けられた部分に対応した形状を有する保護カバー用アタッチメント基台５に粘着されていることを特徴としている。すなわちウインドジャマー１は、保護カバー用のアタッチメントを構成する。音響機器３としては、スマートフォン、デジタルカメラ、ビデオカメラ、デジタルレコーダー等が想定される。
アタッチメント基台５には、保護カバー４に形成された凹所４ｂに嵌合する凸部５ａが形成されており、これらの凹所４ｂ、凸部５ａによって保護カバー４とアタッチメントとの結合手段が構成されている。なお結合手段の構成はこれに限定されず、どのような方法、例えばフリクションによるものであってもよい。
この例では、ウインドジャマー１は、保護カバー４に容易に装着でき、かつ不要時には外して保存し再利用できるという利点がある。
【符号の説明】
【００１４】
１        ウインドジャマー
１０      フェイクファーテープ
１０ａ    基布
１０ｂ    起毛
１０ｃ    樹脂層
１０ｄ    ベースフィルム
１１      粘着面
２        保護材
４        音響機器用保護カバー
４ａ      マイク孔
５        保護カバー用アタッチメント基台
【図１】
0003216118.tif 000003
【図２】
0003216118.tif 000004
【図３】
0003216118.tif 000005
【図４】
0003216118.tif 000006
【図５】
0003216118.tif 000007